(57)【要約】【課題】爪の手入れに適したネイルケア具を提供する。【解決手段】ネイルケア具１は、面Ｓ１、面Ｓ２、面Ｓ３、及び面Ｓ４を備えている。面Ｓ１には、爪ヤスリ１０が設けられている。面Ｓ２には、爪ヤスリ２０が設けられている。面Ｓ３には、爪ヤスリ３０が設けられている。面Ｓ４には、爪ヤスリ４０が設けられている。爪ヤスリ１０、爪ヤスリ２０、爪ヤスリ３０及び爪ヤスリ４０のうち少なくとも２つは、相異なる目の粗さを有している。【選択図】図１
2018099567.tif 000002
【特許請求の範囲】
【請求項１】
第１の爪ヤスリが設けられた第１の面と、
第２の爪ヤスリが設けられた第２の面と、
第３の爪ヤスリが設けられた第３の面と、
第４の爪ヤスリが設けられた第４の面と、を備え、
前記第１乃至第４の爪ヤスリのうち少なくとも２つは、相異なる目の粗さを有することを特徴とするネイルケア具。
【請求項２】
請求項１に記載のネイルケア具において、
前記第３の爪ヤスリの目の粗さは、前記第１及び第２の爪ヤスリの何れの目の粗さよりも小さいネイルケア具。
【請求項３】
請求項２に記載のネイルケア具において、
前記第３の面の面積は、前記第１及び第２の面の何れの面積よりも小さいネイルケア具。
【請求項４】
請求項１乃至３の何れかに記載のネイルケア具において、
前記第４の爪ヤスリの目の粗さは、前記第１及び第２の爪ヤスリの何れの目の粗さよりも小さいネイルケア具。
【請求項５】
請求項４に記載のネイルケア具において、
前記第４の面の面積は、前記第１及び第２の面の何れの面積よりも小さいネイルケア具。
【請求項６】
請求項１乃至５の何れかに記載のネイルケア具において、
前記第２の爪ヤスリの目の粗さは、前記第１の爪ヤスリの目の粗さよりも小さいネイルケア具。
【請求項７】
請求項１乃至６の何れかに記載のネイルケア具において、
前記第４の爪ヤスリの目の粗さは、前記第３の爪ヤスリの目の粗さよりも小さいネイルケア具。
【請求項８】
請求項１乃至７の何れかに記載のネイルケア具において、
前記第１乃至第４の面のうち少なくとも１つは、凹曲面状をしているネイルケア具。
【請求項９】
請求項８に記載のネイルケア具において、
前記第１乃至第４の面のうち一部の面が凹曲面状をしており、残りの面が平面状をしているネイルケア具。
【請求項１０】
請求項８に記載のネイルケア具において、
前記第１乃至第４の面の全てが凹曲面状をしているネイルケア具。
【請求項１１】
請求項８乃至１０の何れかに記載のネイルケア具において、
前記第１乃至第４の面のうち凹曲面状をしている面は、クッション性を有するネイルケア具。
【請求項１２】
請求項１乃至１１の何れかに記載のネイルケア具において、
第５の爪ヤスリが設けられた第５の面を備えるネイルケア具。
【請求項１３】
請求項１２に記載のネイルケア具において、
前記第５の爪ヤスリの目の粗さは、前記第１乃至第４の爪ヤスリの何れの目の粗さよりも小さいネイルケア具。
【請求項１４】
請求項１３に記載のネイルケア具において、
前記第５の面の面積は、前記第１乃至第４の面の何れの面積よりも小さいネイルケア具。
【請求項１５】
請求項１２乃至１４の何れかに記載のネイルケア具において、
前記第５の面は、凹曲面状をしているネイルケア具。
【請求項１６】
請求項１５に記載のネイルケア具において、
前記第５の面は、クッション性を有するネイルケア具。
【請求項１７】
請求項１２乃至１６の何れかに記載のネイルケア具において、
第６の爪ヤスリが設けられた第６の面を備えるネイルケア具。
【請求項１８】
請求項１７に記載のネイルケア具において、
前記第６の爪ヤスリの目の粗さは、前記第１乃至第４の爪ヤスリの何れの目の粗さよりも小さいネイルケア具。
【請求項１９】
請求項１８に記載のネイルケア具において、
前記第６の面の面積は、前記第１乃至第４の面の何れの面積よりも小さいネイルケア具。
【請求項２０】
請求項１７乃至１９の何れかに記載のネイルケア具において、
前記第６の爪ヤスリの目の粗さは、前記第５の爪ヤスリの目の粗さよりも小さいネイルケア具。
【請求項２１】
請求項１７乃至２０の何れかに記載のネイルケア具において、
前記第６の面は、凹曲面状をしているネイルケア具。
【請求項２２】
請求項２１に記載のネイルケア具において、
前記第６の面は、クッション性を有するネイルケア具。
【請求項２３】
請求項１乃至２２の何れかに記載のネイルケア具において、
当該ネイルケア具は、板状をしているネイルケア具。
【発明の詳細な説明】
【技術分野】
【０００１】
本発明は、爪の手入れに用いられるネイルケア具に関する。
【背景技術】
【０００２】
従来のネイルケア具としては、例えば特許文献１に記載されたものがある。同文献に記載されたネイルケア具は、６面体からなる。６面体の各面は、爪を磨くための研磨面となっている。６つの研磨面のうち一部の研磨面は平面状をしており、残りの研磨面は曲面状をしている。
【先行技術文献】
【特許文献】
【０００３】
【特許文献１】特開２００５−２７０３５０号公報
【発明の概要】
【発明が解決しようとする課題】
【０００４】
上述のネイルケア具によれば、平面状の研磨面と曲面状の研磨面とを使い分けながら爪を磨くことができる。しかしながら、全ての研磨面は、同一の目の粗さを有している。このように従来のネイルケア具は、１種類の目しか有していないため、爪を手入れするには使い勝手の悪いものであった。
【０００５】
本発明は、上記課題に鑑みてなされたものであり、爪の手入れに適したネイルケア具を提供することを目的とする。
【課題を解決するための手段】
【０００６】
本発明によるネイルケア具は、第１の爪ヤスリが設けられた第１の面と、第２の爪ヤスリが設けられた第２の面と、第３の爪ヤスリが設けられた第３の面と、第４の爪ヤスリが設けられた第４の面と、を備え、上記第１乃至第４の爪ヤスリのうち少なくとも２つは、相異なる目の粗さを有することを特徴とする。
【０００７】
このネイルケア具は、第１乃至第４の面を有している。第１乃至第４の面には、それぞれ第１乃至第４の爪ヤスリが設けられている。そして、第１乃至第４の爪ヤスリのうち少なくとも２つは、相異なる目の粗さを有している。これにより、相異なる目の粗さを有する複数の爪ヤスリを適宜使い分けることが可能となる。このため、全ての爪ヤスリの目の粗さが同一である場合に比して、爪を手入れしやすくなる。
【発明の効果】
【０００８】
本発明によれば、爪の手入れに適したネイルケア具が実現される。
【図面の簡単な説明】
【０００９】
【図１】本発明によるネイルケア具の一実施形態を示す平面図である。
【図２】図１のII−II線に沿った端面図である。
【図３】図１のIII−III線に沿った端面図である。
【図４】一変形例に係るネイルケア具を示す平面図である。
【図５】ネイルケア具の他の変形例を説明するための斜視図である。
【図６】ネイルケア具の他の変形例を説明するための斜視図である。
【図７】ネイルケア具の他の変形例を説明するための斜視図である。
【図８】図７のVIII−VIII線に沿った端面図である。
【発明を実施するための形態】
【００１０】
以下、図面を参照しつつ、本発明の実施形態について詳細に説明する。なお、図面の説明においては、同一要素には同一符号を付し、重複する説明を省略する。
【００１１】
図１は、本発明によるネイルケア具の一実施形態を示す平面図である。また、図２及び図３は、それぞれ、図１のII−II線及びIII−III線に沿った端面図である。ネイルケア具１は、爪の手入れに用いられる６面体のネイルケア具である。ネイルケア具１は、面Ｓ１（第１の面）、面Ｓ２（第２の面）、面Ｓ３（第３の面）、面Ｓ４（第４の面）、面Ｓ５（第５の面）及び面Ｓ６（第６の面）を備えている。面Ｓ１と面Ｓ２とは、互いに反対側に位置する面である。面Ｓ３と面Ｓ４とは、互いに反対側に位置する面である。また、面Ｓ５と面Ｓ６とは、互いに反対側に位置する面である。ネイルケア具１の材料としては、例えば、紙（合成紙を含む）、プラスチック、金属、又はゴムを用いることができる。これらの材料のうち何れか１つを単独で用いてもよいし、２つ以上を組み合わせて用いてもよい。
【００１２】
面Ｓ１及び面Ｓ２は、平面状をしている。一方、各面Ｓ３〜Ｓ６は、凹曲面状をしている。各面Ｓ３〜Ｓ６は、平面視（図１参照）及び端面視（図２及び図３参照）の何れにおいても、凹曲線（ネイルケア具１の内側に膨らんだ曲線）を描いている。このように本実施形態においては、面Ｓ１、面Ｓ２、面Ｓ３及び面Ｓ４のうち少なくとも１つが凹曲面状をしている。具体的には、面Ｓ１〜Ｓ４のうち一部の面（面Ｓ３及び面Ｓ４）が凹曲面状をしており、残りの面（面Ｓ１及び面Ｓ２）が平面状をしている。
【００１３】
凹曲面状をしている面（面Ｓ３〜Ｓ６）は、クッション性を有することが好ましい。平面状をしている面（面Ｓ１及び面Ｓ２）も、クッション性を有していてもよい。例えば、ネイルケア具１の全体又は一部に弾性材料を用いることにより、各面にクッション性をもたせることができる。
【００１４】
ネイルケア具１は、板状をしている。ここで、板状とは、横の長さｄ１及び縦の長さｄ２に対して厚みｄ３が充分に小さい形状、具体的には、長さｄ１及び長さｄ２の何れに対しても厚みｄ３が４分の１以下であるような形状をいう。ネイルケア具１の各寸法（長さｄ１、長さｄ２、厚みｄ３）は、ネイルケア具１を内包しうる最小の直方体の内寸として定義するものとする。
【００１５】
長さｄ１は、長さｄ２よりも大きい。すなわち、本実施形態においては、ｄ１＞ｄ２＞ｄ３の関係が成り立っている。長さｄ１は、例えば５〜１０ｃｍである。長さｄ２は、例えば３〜６ｃｍである。また、厚みｄ３は、例えば０．５〜１．５ｃｍである。
【００１６】
面Ｓ１の面積と面Ｓ２の面積とは、等しい。面Ｓ３の面積は、面Ｓ１及び面Ｓ２の何れの面積よりも小さい。同様に、面Ｓ４の面積は、面Ｓ１及び面Ｓ２の何れの面積よりも小さい。面Ｓ３の面積と面Ｓ４の面積とは、等しい。面Ｓ５の面積は、面Ｓ１、面Ｓ２、面Ｓ３及び面Ｓ４の何れの面積よりも小さい。同様に、面Ｓ６の面積は、面Ｓ１、面Ｓ２、面Ｓ３及び面Ｓ４の何れの面積よりも小さい。面Ｓ５の面積と面Ｓ６の面積とは、等しい。
【００１７】
面Ｓ１には、爪ヤスリ１０（第１の爪ヤスリ）が設けられている。面Ｓ２には、爪ヤスリ２０（第２の爪ヤスリ）が設けられている。面Ｓ３には、爪ヤスリ３０（第３の爪ヤスリ）が設けられている。面Ｓ４には、爪ヤスリ４０（第４の爪ヤスリ）が設けられている。面Ｓ５には、爪ヤスリ５０（第５の爪ヤスリ）が設けられている。また、面Ｓ６には、爪ヤスリ６０（第６の爪ヤスリ）が設けられている。
【００１８】
爪ヤスリ１０は、面Ｓ１を加工することにより形成してもよいし、面Ｓ１にシート状のヤスリを貼着することにより形成してもよい。爪ヤスリ２０，３０，４０，５０，６０についても同様である。また、爪ヤスリ１０は、面Ｓ１の全面に設けられていることが好ましい。爪ヤスリ２０，３０，４０，５０，６０についても同様である。なお、各面の面積を考えるときは、爪ヤスリの目の凹凸は無視するものとする。すなわち、各面が滑らかであると仮定したときの面積を考えるものとする。
【００１９】
爪ヤスリ１０、爪ヤスリ２０、爪ヤスリ３０及び爪ヤスリ４０のうち少なくとも２つは、相異なる目の粗さを有している。本実施形態において爪ヤスリ２０の目の粗さは、爪ヤスリ１０の目の粗さよりも小さい。爪ヤスリ３０の目の粗さは、爪ヤスリ１０及び爪ヤスリ２０の何れの目の粗さよりも小さい。同様に、爪ヤスリ４０の目の粗さは、爪ヤスリ１０及び爪ヤスリ２０の何れの目の粗さよりも小さい。爪ヤスリ４０の目の粗さは、爪ヤスリ３０の目の粗さよりも小さい。爪ヤスリ５０の目の粗さは、爪ヤスリ１０、爪ヤスリ２０、爪ヤスリ３０及び爪ヤスリ４０の何れの目の粗さよりも小さい。同様に、爪ヤスリ６０の目の粗さは、爪ヤスリ１０、爪ヤスリ２０、爪ヤスリ３０及び爪ヤスリ４０の何れの目の粗さよりも小さい。爪ヤスリ６０の目の粗さは、爪ヤスリ５０の目の粗さよりも小さい。
【００２０】
ネイルケア具１の効果を説明する。ネイルケア具１は、面Ｓ１、面Ｓ２、面Ｓ３及び面Ｓ４を有している。面Ｓ１、面Ｓ２、面Ｓ３及び面Ｓ４には、それぞれ爪ヤスリ１０、爪ヤスリ２０、爪ヤスリ３０及び爪ヤスリ４０が設けられている。そして、爪ヤスリ１０、爪ヤスリ２０、爪ヤスリ３０及び爪ヤスリ４０のうち少なくとも２つは、相異なる目の粗さを有している。これにより、相異なる目の粗さを有する複数の爪ヤスリを適宜使い分けることが可能となる。このため、全ての爪ヤスリの目の粗さが同一である場合に比して、爪を手入れしやすくなる。したがって、爪の手入れに適したネイルケア具１が実現されている。
【００２１】
近年は、爪もファッションの一部という意識が高まっており、爪の手入れ（ネイルケア）に関心をもつ人が増えている。ところが、従来のネイルケア具では、１種類の目しか設けられておらず、充分なネイルケアを行うことが難しかった。この点、ネイルケア具１によれば、目の粗さが異なる複数種類の爪ヤスリを駆使して充分なネイルケアを行うことができる。例えば、１つのネイルケア具１で、爪を削って磨いて艶出しをするという一連のネイルケアの全てを行うことが可能である。
【００２２】
爪ヤスリ３０の目の粗さは、爪ヤスリ１０及び爪ヤスリ２０の何れの目の粗さよりも小さい。これにより、爪ヤスリ１０、爪ヤスリ２０、爪ヤスリ３０及び爪ヤスリ４０のうち少なくとも２つが相異なる目の粗さを有する構成を確実に実現することができる。
【００２３】
面Ｓ３の面積は、面Ｓ１及び面Ｓ２の何れの面積よりも小さい。爪ヤスリを用いる場合、目の粗さが大きい程、爪ヤスリの動きも大きくなるのが通常である。それゆえ、比較的粗い目を有する爪ヤスリ１０，２０が設けられた面（面Ｓ１及び面Ｓ２）の面積を、比較的細かい目を有する爪ヤスリ３０が設けられた面（面Ｓ３）の面積よりも大きくすることにより、爪ヤスリ１０又は爪ヤスリ２０の使用時に爪が面Ｓ１又は面Ｓ２から食み出してしまう事態を起こりにくくすることができる。他方、面Ｓ３の面積を小さくすることは、ネイルケア具１の小型化に資する。
【００２４】
爪ヤスリ４０の目の粗さは、爪ヤスリ１０及び爪ヤスリ２０の何れの目の粗さよりも小さい。これにより、爪ヤスリ１０、爪ヤスリ２０、爪ヤスリ３０及び爪ヤスリ４０のうち少なくとも２つが相異なる目の粗さを有する構成を確実に実現することができる。
【００２５】
面Ｓ４の面積は、面Ｓ１及び面Ｓ２の何れの面積よりも小さい。このように比較的粗い目を有する爪ヤスリ１０，２０が設けられた面（面Ｓ１及び面Ｓ２）の面積を、比較的細かい目を有する爪ヤスリ４０が設けられた面（面Ｓ４）の面積よりも大きくすることにより、爪ヤスリ１０又は爪ヤスリ２０の使用時に爪が面Ｓ１又は面Ｓ２から食み出してしまう事態を起こりにくくすることができる。他方、面Ｓ４の面積を小さくすることは、ネイルケア具１の小型化に資する。
【００２６】
爪ヤスリ２０の目の粗さは、爪ヤスリ１０の目の粗さよりも小さい。これにより、爪ヤスリ１０及び爪ヤスリ２０が同一の目の粗さを有する場合に比して、より多くの種類の爪ヤスリをネイルケア具１に設けることができる。ただし、爪ヤスリ１０及び爪ヤスリ２０は、同一の目の粗さを有していてもよい。
【００２７】
爪ヤスリ４０の目の粗さは、爪ヤスリ３０の目の粗さよりも小さい。これにより、爪ヤスリ３０及び爪ヤスリ４０が同一の目の粗さを有する場合に比して、より多くの種類の爪ヤスリをネイルケア具１に設けることができる。ただし、爪ヤスリ３０及び爪ヤスリ４０は、同一の目の粗さを有していてもよい。
【００２８】
面Ｓ１、面Ｓ２、面Ｓ３及び面Ｓ４のうち少なくとも１つが凹曲面状をしている。凹曲面は、弧状の形状を有する爪先にフィットしやすい。それゆえ、凹曲面状をしている面に設けられた爪ヤスリを用いることにより、爪先の手入れが容易になる。
【００２９】
面Ｓ１、面Ｓ２、面Ｓ３及び面Ｓ４のうち一部の面（面Ｓ３及び面Ｓ４）が凹曲面状をしており、残りの面（面Ｓ１及び面Ｓ２）が平面状をしている。爪先と異なり、爪甲には、凹曲面よりも平面の方がフィットしやすい。それゆえ、凹曲面状をしている面に設けられた爪ヤスリと平面状をしている面に設けられた爪ヤスリとを使い分けることにより、爪先及び爪甲の双方の手入れが容易になる。
【００３０】
凹曲面状をしている面がクッション性を有する場合、爪を押し当てた際に、当該面を爪の形状に合わせて変形させることができる。これにより、爪に対する爪ヤスリの密着度が高まるため、爪（特に爪先）の手入れを一層効果的に行うことができる。
【００３１】
ネイルケア具１は、面Ｓ１、面Ｓ２、面Ｓ３及び面Ｓ４に加えて、面Ｓ５を備えている。これにより、ネイルケア具１が面Ｓ１、面Ｓ２、面Ｓ３及び面Ｓ４のみを備える場合に比して、より多くの爪ヤスリをネイルケア具１に設けることが可能となる。
【００３２】
爪ヤスリ５０の目の粗さは、爪ヤスリ１０、爪ヤスリ２０、爪ヤスリ３０及び爪ヤスリ４０の何れの目の粗さよりも小さい。これにより、爪ヤスリ５０の目の粗さが爪ヤスリ１０、爪ヤスリ２０、爪ヤスリ３０及び爪ヤスリ４０の何れかの目の粗さと同一である場合に比して、より多くの種類の爪ヤスリをネイルケア具１に設けることができる。
【００３３】
面Ｓ５の面積は、面Ｓ１、面Ｓ２、面Ｓ３及び面Ｓ４の何れの面積よりも小さい。このように比較的粗い目を有する爪ヤスリ１０，２０，３０，４０が設けられた面（面Ｓ１、面Ｓ２、面Ｓ３及び面Ｓ４）の面積を、比較的細かい目を有する爪ヤスリ５０が設けられた面（面Ｓ５）の面積よりも大きくすることにより、爪ヤスリ１０、爪ヤスリ２０、爪ヤスリ３０又は爪ヤスリ４０の使用時に爪が面Ｓ１、面Ｓ２、面Ｓ３又は面Ｓ４から食み出してしまう事態を起こりにくくすることができる。他方、面Ｓ５の面積を小さくすることは、ネイルケア具１の小型化に資する。
【００３４】
面Ｓ５は、凹曲面状をしている。かかる凹曲面状の面Ｓ５に設けられた爪ヤスリ５０を用いることにより、爪先の手入れが容易になる。
【００３５】
面Ｓ５がクッション性を有する場合、爪を押し当てた際に、面Ｓ５を爪の形状に合わせて変形させることができる。これにより、爪に対する爪ヤスリ５０の密着度が高まるため、爪の手入れを一層効果的に行うことができる。
【００３６】
ネイルケア具１は、面Ｓ１、面Ｓ２、面Ｓ３、面Ｓ４及び面Ｓ５に加えて、面Ｓ６を備えている。これにより、ネイルケア具１が面Ｓ１、面Ｓ２、面Ｓ３、面Ｓ４及び面Ｓ５のみを備える場合に比して、より多くの爪ヤスリをネイルケア具１に設けることが可能となる。
【００３７】
爪ヤスリ６０の目の粗さは、爪ヤスリ１０、爪ヤスリ２０、爪ヤスリ３０及び爪ヤスリ４０の何れの目の粗さよりも小さい。これにより、爪ヤスリ６０の目の粗さが爪ヤスリ１０、爪ヤスリ２０、爪ヤスリ３０及び爪ヤスリ４０の何れかの目の粗さと同一である場合に比して、より多くの種類の爪ヤスリをネイルケア具１に設けることができる。
【００３８】
面Ｓ６の面積は、面Ｓ１、面Ｓ２、面Ｓ３及び面Ｓ４の何れの面積よりも小さい。このように比較的粗い目を有する爪ヤスリ１０，２０，３０，４０が設けられた面（面Ｓ１、面Ｓ２、面Ｓ３及び面Ｓ４）の面積を、比較的細かい目を有する爪ヤスリ６０が設けられた面（面Ｓ６）の面積よりも大きくすることにより、爪ヤスリ１０、爪ヤスリ２０、爪ヤスリ３０又は爪ヤスリ４０の使用時に爪が面Ｓ１、面Ｓ２、面Ｓ３又は面Ｓ４から食み出してしまう事態を起こりにくくすることができる。他方、面Ｓ６の面積を小さくすることは、ネイルケア具１の小型化に資する。
【００３９】
爪ヤスリ６０の目の粗さは、爪ヤスリ５０の目の粗さよりも小さい。これにより、爪ヤスリ５０及び爪ヤスリ６０が同一の目の粗さを有する場合に比して、より多くの種類の爪ヤスリをネイルケア具１に設けることができる。ただし、爪ヤスリ５０及び爪ヤスリ６０は、同一の目の粗さを有していてもよい。
【００４０】
面Ｓ６は、凹曲面状をしている。かかる凹曲面状の面Ｓ６に設けられた爪ヤスリ６０を用いることにより、爪先の手入れが容易になる。
【００４１】
面Ｓ６がクッション性を有する場合、爪を押し当てた際に、面Ｓ６を爪の形状に合わせて変形させることができる。これにより、爪に対する爪ヤスリ６０の密着度が高まるため、爪の手入れを一層効果的に行うことができる。
【００４２】
ネイルケア具１は、板状をしている。この場合、ネイルケア具１の収納時や運搬時に嵩張りにくいという利点が得られる。
【００４３】
本発明は、上記実施形態に限定されるものではなく、様々な変形が可能である。上記実施形態においては、面Ｓ１、面Ｓ２、面Ｓ３、面Ｓ４、面Ｓ５及び面Ｓ６のうち一部の面が凹曲面状をしており、残りの面が平面状をしている場合を例示した。しかし、面Ｓ１〜Ｓ６の全てが、凹曲面状をしていてもよい。あるいは、面Ｓ１〜Ｓ６の全てが、平面状をしていてもよい。
【００４４】
上記実施形態においては、面Ｓ３、面Ｓ４、面Ｓ５及び面Ｓ６の全てが凹曲面状をしている場合を例示した。しかし、図４に示すように、面Ｓ３〜Ｓ６のうち一部の面が凹曲面状をしており、残りの面が平面状をしていてもよい。同図においては、面Ｓ５及び面Ｓ６が凹曲面状をしており、面Ｓ３及び面Ｓ４が平面状をしている。
【００４５】
上記実施形態においては、ネイルケア具が板状をしている場合を例示した。しかし、ネイルケア具の基本形状（凹曲面が平面であると仮定した場合の形状）は、図５に示すように板状でない直方体であってもよいし、図６に示すように立方体であってもよい。
【００４６】
上記実施形態においては、各面Ｓ１〜Ｓ６の全体が凹曲面状又は平面状をしている場合を例示した。しかし、図７及び図８に示すように、各面Ｓ１〜Ｓ６の一部が凹曲面状（残部が平面状）をしていてもよい。図７は、例として、基本形状が立方体であるネイルケア具（図６参照）において各面Ｓ１〜Ｓ６の一部を凹曲面状とした場合を示している。図８は、図７のVIII−VIII線に沿った端面図である。各面Ｓ１〜Ｓ６においては、椀状の凹部が形成されており、当該凹部の表面が凹曲面となっている。なお、本発明においては、このように面の一部のみが凹曲面状をしている場合も、当該面が「凹曲面状をしている」という概念に含まれるものとする。
【００４７】
図７において、面Ｓ１〜Ｓ６のうち一部の面を凹曲面状とし、残りの面を平面状としてもよいことは、言うまでもない。例えば、面Ｓ１〜Ｓ５を凹曲面状として爪を削ったり磨いたりするのに用いる一方で、面Ｓ６を平面状として爪の艶出しに用いることが考えられる。
【００４８】
上記実施形態においては、ネイルケア具が備える全ての面（面Ｓ１〜Ｓ６）に爪ヤスリが設けられた場合を例示した。しかし、爪ヤスリは、面Ｓ１〜Ｓ６のうち４つ又は５つの面にのみ設けられてもよい。
【００４９】
上記実施形態においては、ネイルケア具が６面体である場合を例示した。しかし、ネイルケア具は、４面体又は５面体であってもよいし、ｎ面体（ｎは７以上の整数）であってもよい。
【符号の説明】
【００５０】
１  ネイルケア具
１０  爪ヤスリ（第１の爪ヤスリ）
２０  爪ヤスリ（第２の爪ヤスリ）
３０  爪ヤスリ（第３の爪ヤスリ）
４０  爪ヤスリ（第４の爪ヤスリ）
５０  爪ヤスリ（第５の爪ヤスリ）
６０  爪ヤスリ（第６の爪ヤスリ）
Ｓ１  面（第１の面）
Ｓ２  面（第２の面）
Ｓ３  面（第３の面）
Ｓ４  面（第４の面）
Ｓ５  面（第５の面）
Ｓ６  面（第６の面）
【図１】
2018099567.tif 000003
【図２】
2018099567.tif 000004
【図３】
2018099567.tif 000005
【図４】
2018099567.tif 000006
【図５】
2018099567.tif 000007
【図６】
2018099567.tif 000008
【図７】
2018099567.tif 000009
【図８】
2018099567.tif 000010